(57)【要約】【課題】限られた設置面積の中で効率よく多数の太陽電池パネルを配置することで、単位設置面積あたりの発電量を向上させるのに好適な太陽光発電装置を提供する。【解決手段】太陽電池パネル３，４は、それぞれ設置角度が鋭角である。２つの太陽電池パネル３と太陽電池パネル４とは、三角屋根状を形成するように、それぞれ傾斜設置されている。太陽電池パネル３は東方向側を向いて設置され、太陽電池パネル４は西方向側を向いて設置されている。【選択図】図４
2014154743.tif 000002
【特許請求の範囲】
【請求項１】
第１の太陽電池パネルと、
前記第１の太陽電池パネルと隣り合う第２の太陽電池パネルと、
を備え、
前記第１の太陽電池パネルと前記第２の太陽電池パネルとは、三角屋根状を形成するようにそれぞれ傾斜設置されている、
太陽光発電装置。
【請求項２】
前記第１の太陽電池パネルは東方向を向いて設置され、
前記第２の太陽電池パネルは西方向を向いて設置されている、
請求項１に記載の太陽光発電装置。
【請求項３】
前記第１の太陽電池パネル及び前記第２の太陽電池パネルは、透過型の両面受光型太陽電池パネルである、請求項１に記載の太陽光発電装置。
【請求項４】
前記第１の太陽電池パネルと前記第２の太陽電池パネルとに囲まれている内側の空間内に設けられて光を反射する反射部材をさらに備えている請求項３に記載の太陽光発電装置。
【請求項５】
前記第１の太陽電池パネル及び前記第２の太陽電池パネルのそれぞれ下端側を支持する支持部と、
前記支持部に形成され、前記第１の太陽電池パネル及び前記第２の太陽電池パネルと前記支持部との間の滞留物を流下させる流下部と、
をさらに備えている請求項１に記載の太陽光発電装置。
【請求項６】
前記第１の太陽電池パネル及び前記第２の太陽電池パネルをそれぞれ複数台備え、
前記第１の太陽電池パネルと前記第２の太陽電池パネルとが交互に現れるように配列され、互いの下端側同士が前記配列の方向に隣り合う前記第１の太陽電池パネルと前記第２の太陽電池パネルとは互いに対向している、
請求項１に記載の太陽光発電装置。
【発明の詳細な説明】
【技術分野】
【０００１】
本発明は、太陽光発電装置に関する。
【背景技術】
【０００２】
本技術分野の背景技術として、特開２００２−７６４１６号公報（特許文献１）がある。この公報には、「複数個の両面受光型太陽電池モジュール１を太陽電池モジュールの受光面が地表面と垂直となるように設置した両面受光型太陽電池アレイ８において、両面受光型太陽電池アレイ内の構造部材２，３が前記両面受光型太陽電池モジュール１の外周部に配置される。」と記載されている（要約参照）。
【先行技術文献】
【特許文献】
【０００３】
【特許文献１】特開２００２‐７６４１６号公報
【発明の概要】
【発明が解決しようとする課題】
【０００４】
前記特許文献１には、両面受光型太陽電池アレイ内の構造部材について記載されている。しかし、同文献の技術では、限られた設置面積の中で効率よく多数の太陽電池パネルを配置することにより、単位設置面積あたりの発電量を向上させることはできない。
そこで、本発明は、限られた設置面積の中で効率よく多数の太陽電池パネルを配置することを可能として、単位設置面積あたりの発電量を向上させるのに好適な太陽光発電装置を提供する。
【課題を解決するための手段】
【０００５】
上記課題を解決するため、本発明は、第１の太陽電池パネルと、第１の太陽電池パネルと隣り合う第２の太陽電池パネルと、を備え、第１の太陽電池パネルと第２の太陽電池パネルとは、三角屋根状を形成するようにそれぞれ傾斜設置されている。
【発明の効果】
【０００６】
本発明によれば、限られた設置面積の中で多数の太陽電池パネルを配置することを可能として、単位設置面積あたりの発電量を向上させるのに好適な太陽光発電装置を提供することができる。
上記した以外の課題、構成及び効果は、以下の実施形態の説明により明らかにされる。
【図面の簡単な説明】
【０００７】
【図１】図１は、本発明の実施例１にかかる太陽光発電装置の太陽光発電ユニットの斜視図である。
【図２】図２は、本発明の実施例１にかかる太陽光発電装置の太陽光発電ユニットにおける太陽電池パネルの平面図である。
【図３】図３は、本発明の実施例１にかかる太陽光発電装置の全体の設置例を示す平面図である。
【図４】図４は、図３の太陽電池パネルのＡ‐Ａ´切断矢視図である。
【図５】図５は、本発明の実施例２にかかる太陽光発電装置の太陽光発電ユニットの斜視図である。
【図６】図６は、本発明の実施例３にかかる太陽光発電装置の設置例を示す斜視図である。である図である。
【図７】図７は、本発明の実施例３にかかる太陽光発電装置の設置例を示す斜視図である。
【図８】図８は、本発明の実施例３にかかる太陽光発電装置の設置例を示す底面図である。
【図９】図９は、本発明の実施例４にかかる太陽光発電装置の太陽光発電ユニットの斜視図である。
【図１０】図１０は、比較例１の太陽電池パネルの設置例を示す縦断面図である。
【図１１】図１１は、比較例２の太陽電池パネルの設置例を示す縦断面図である。
【図１２】図１２は、比較例３の太陽電池パネルの設置例を示す縦断面図である。
【図１３】図１３は、比較例４の太陽電池パネルの設置例を示す縦断面図である。
【発明を実施するための形態】
【０００８】
以下、本発明の実施例について図面を用いて説明する。
［比較例］
最初に、各実施例を説明する前に各実施例に対する比較例を説明し、もって以下に説明する実施例が解決すべき課題を明らかにする。
【０００９】
前記の特許文献１には、両面受光型太陽電池パネルについて記載されている。この両面受光型太陽電池パネルは、パネル面の表裏どちらの面に入射する光も発電に利用でき、水平面に対してパネル面が垂直になるように設置することに適していることが知られている。すなわち、両面受光型太陽電池パネルは、水平面に対してパネル面が垂直になるように設置しても、ある程度の光量の日射が得られる限りは、パネル面の向いている方角にかかわらず、ある程度の発電量を得ることができる。
【００１０】
しかしながら、この場合に、両面受光型太陽電池パネルを水平方向に複数枚並べて設置しようとすると、ある太陽電池パネルにより生じる影が隣接する他の太陽電池パネルのパネル面に落ち込んでしまい、発電の不具合となる。そのため、隣接する太陽電池パネル間は当該太陽電池パネルの高さの概ね２．３倍程度の距離は離すようにして、各太陽電池パネルを設置することが望ましい。
そのため、ある設置面積内に太陽電池パネルを可能な限り多くの枚数分設置することによって、その限られた一定の設置面積内での発電量を可能な限り高めようとすると、このような太陽電池パネルの設置方法は適さないこととなる。
そこで、両面受光型太陽電池パネルではあっても、設置角度が水平面に対して９０°より小さい鋭角をなすような傾斜設置をすることにより、単位設置面積内での太陽電池パネルの設置枚数を高めることが考えられる。
【００１１】
図１０〜図１３は、それぞれ後述する本実施例に対する比較例となる比較例１〜４の太陽電池パネルの設置例を示す縦断面図である。図１０〜図１２に示されている各比較例においては、各太陽電池パネル１０１を、その基端（下端）１１３（設置面１０２（水平面）側の縁）から先端（上端１１１）にかけたラインで垂直方向に切断した断面で示している。図１３では各太陽電池パネル１０１の並列方向のラインで垂直方向に切断した断面で示している。各太陽電池パネル１０１は、実際は予め定められた枠材のような構造物に固定支持されて例えば建物の屋上などの設置面１０２上に設置されているが、何れの比較例においても当該構造物の図示は省略している。また、太陽電池パネル１０１の厚さは実際の厚さを示したものではなく、実際より厚さを誇張して図示している。符号１０３は、ある季節のある時刻に太陽電池パネル１０１に入射する太陽光を示している。
【００１２】
まず、図１０に示す比較例１では、各太陽電池パネル１０１のパネル面が設置面１０２（水平面）に対して予め定められた０°より大きく９０°より小さい鋭角の設置角度になるように設置している。また、各太陽電池パネル１０１の上端１１１が同じ方向を向くように、各太陽電池パネル１０１を水平方向（設置面１０２の面方向）に並列して設置している。そして、各太陽電池パネル１０１は、鉛直上方から見て互いに重なり合わない範囲で、あまり間隔があかない様に設置することで、予め定められた一定の設置面積内での太陽電池パネルの設置枚数を高めようとしている。
しかしながら、この比較例１の場合は、隣接する太陽電池パネル１０１間の距離が近いにもかかわらず、各太陽電池パネル１０１の上端１１１が同じ方向を向くように設置されているので、太陽電池パネル１０１の符号１１２に示す領域に、隣接する他の太陽電池パネル１０１の影が落ち、当該太陽電池パネル１０１の発電の不具合となる。
【００１３】
次に、図１１に示す比較例２について説明する。図１１において、図１０と同一の符号は比較例１と共通の部材等であるため、詳細な説明は省略する。前記の比較例１では、各太陽電池パネル１０１は、鉛直上方から見て互いに重なり合わない範囲で、あまり間隔があかない様に設置している。これに対して、比較例２では、隣接し合う各太陽電池パネル１０１においては、ある程度の間隔があくように設置している。この点が、比較例１と比較例２との相違点である。比較例２のその他の構成は比較例１と共通であるため、その説明は省略する。
【００１４】
このような構成の比較例２では、隣接し合う太陽電池パネル１０１間の間隔を十分にあけているので、比較例１における領域１１２に対して、隣接する他の太陽電池パネル１０１の影が落ちる不具合を低減することができる。なお、この影が落ちるという不具合の程度は、太陽電池パネル１０１間の間隔の大きさ、太陽電池パネル１０１の設置角度の大きさ、太陽電池パネル１０１の高さ、そのときどきの太陽の高度や太陽の方角等にも左右されることは言うまでもない。
しかしながら、比較例２の構成では、太陽電池パネル１０１間の間隔を十分にあけているので、比較例１に比べれば、単位設置面積内に太陽電池パネル１０１を可能な限り多くの枚数分設置するという点に関して劣っているという不具合がある。
【００１５】
次に、図１２に示す比較例３について説明する。図１２において、図１０と同一の符号は比較例１と共通の部材等であるため、詳細な説明は省略する。前記の比較例１、２では、各太陽電池パネル１０１の上端１１１が同じ方向を向くように、水平方向（設置面１０２の面方向）に並列して設置している。これに対して、比較例３においても、各太陽電池パネル１０１を、設置角度が予め定めた０°より大きく９０°より小さい鋭角となるように傾斜設置し、その上端１１１が全て同じ方向を向くようにすることは共通である。ただし、比較例１，２では各太陽電池パネル１０１を水平方向（設置面１０２の面方向）に並列して設置している。これに対して、比較例３では、各太陽電池パネル１０１が、各パネル面がほぼ一直線になるように並列している。そのため、図１２において、各太陽電池パネル１０１の設置高さが左から順次高くなっている。また、比較例２では、各太陽電池パネル１０１間を水平方向に間隔をあけて設置するようにしているが、比較例３では、各太陽電池パネル１０１間にあまり間隔があかないように、各太陽電池パネル１０１を連続的に設置している。そのため、図１０、図１１の各太陽電池パネル１０１の設置面１０２に対する高さをｈ２とすると、図１２のように４枚の太陽電池パネル１０１を配した例では、４枚の太陽電池パネル１０１の設置面１０２に対する高さｈ３は、そのほぼ４倍となる。比較例３のその他の構成は比較例１と共通であるため、説明を省略する。
【００１６】
比較例３の構成によれば、図１０を参照して説明した比較例１に比べて、ある太陽電池パネル１０１に、隣接する他の太陽電池パネル１０１の影が落ちるという不具合は生じない。また、図１０を参照して説明した比較例２と異なり、各太陽電池パネル１０１間の間隔をあまりあけずに各太陽電池パネル１０１を設置できるので、単位設置面積内に太陽電池パネル１０１を数多く設置することができる。
【００１７】
しかしながら、比較例３の構成では、比較例１，２に比べて、設置高さｈ３が相当程度高くなってしまう。そのため、比較例３の各太陽電池パネル１０１は強風にあおられやすく、太陽電池パネル１０１の設置のための構造物は、比較例１，２の場合に比べて強固にする必要性が高い。そのため、比較例３は、比較例１，２に比べて、太陽電池パネル１０１の設置のための構造物の建造コストが高くなりやすいという不具合がある。また、比較例３は設置高さｈ３が高いために、比較例１，２に比べて美観を損ねやすい。さらには、比較例３は設置高さｈ３が高いために、比較例１，２に比べて、各太陽電池パネル１０１によって、隣接する建物等に大きな長い影が落ちてしまう不具合も発生しやすい。
【００１８】
次に、図１３に示す比較例４について説明する。図１３において、図１０と同一の符号は比較例１と共通の部材等であるため、詳細な説明は省略する。比較例４が比較例１〜３と相違する点は、設置角度を０°より大きい鋭角とするのではなく、パネル面の方向が全て水平方向（設置面１０２の面方向）となるように、各太陽電池パネル１０１を全て設置面１０２上に平置き設置した点である。すなわち、設置角度が０°である。そして、比較例２とは異なり、隣接する太陽電池パネル１０１同士の間隔をあまりあけないように各太陽電池パネル１０１を配列している。比較例４のその他の構成は比較例１と共通であるため、その説明は省略する。
比較例４の構成によれば、図１１を参照して説明した比較例２に比べて、隣接する太陽電池パネル１０１同士の間隔をあまりあけない。よって、比較例４は、比較例２と比べれば、ある設置面積内に太陽電池パネル１０１を可能な限り多くの枚数分設置するという点に関しては優れているといえる。
【００１９】
しかしながら、比較例４の構成は、比較例１，３と比べると、ある設置面積内に太陽電池パネル１０１を可能な限り多くの枚数分設置するという点に関して劣っている。すなわち、比較例１，３の太陽電池パネル１０１の一枚分の設置面積をＳ２、比較例４の太陽電池パネル１０１の一枚分の設置面積をＳ３とする。ここで、比較例１，３は、例えば３０°程度の鋭角を設置角度としている。また、比較例４は、水平面（設置面１０２）に太陽電池パネル１０１を平置きしている。そのため、比較例１，３の太陽電池パネル１０１の一枚分の設置面積Ｓ２は、比較例４の太陽電池パネル１０１の一枚分の設置面積Ｓ３より狭い。よって、単位設置面積内に太陽電池パネル１０１を可能な限り多くの枚数分設置するという点に関しては、比較例４は、比較例１，３に比べて不利である。
【００２０】
以上説明したように、比較例１〜４の構成は、いずれも一長一短である。そこで、これらの各比較例１〜４の様々な不具合を解決し、予め定められた設置面積の中で極力多数の太陽電池パネルを配置することを可能として、単位設置面積あたりの発電量を向上させることができる太陽光発電装置を提供することが、下記の実施例の解決すべき課題である。
【００２１】
［実施例１］
本実施例では、予め定められた設置面積の中で極力多数の太陽電池パネルを配置することを可能として、単位設置面積あたりの発電量を向上させることができる太陽光発電装置の例を説明する。
図１は、実施例１にかかる太陽光発電装置１の太陽光発電ユニット２の斜視図である。図２は、実施例１にかかる太陽光発電ユニット２の太陽電池パネル３，４の平面図である。図３は、実施例１にかかる太陽光発電装置１の全体の設置例を示す平面図である。図４は、図３の太陽電池パネル３，４のＡ‐Ａ´切断矢視図である。
【００２２】
図１に示すように、太陽光発電装置１は例えば複数個の太陽光発電ユニット２で構成され、太陽電池パネル３と太陽電池パネル４とを備えている。図２において、太陽電池パネル３と太陽電池パネル４とは（それらの周囲のフレーム７（後述）も含めて）構成が同一であるため、１枚の太陽電池パネルを、太陽電池パネル３，４として図示している。図４では、太陽電池パネル３，４を図示し、フレーム７の図示を省略している。この図４において、符号６は、ある季節のある時刻に太陽電池パネル３，４に入射する太陽光を示している。図４においては、各太陽電池パネル３，４を、その基端（下端）１１（設置面５（水平面）側の縁）から先端（上端）１２にかけたラインで垂直方向に切断した断面で示している。また、図４において、太陽電池パネル３，４の厚さは実際の厚さを示したものではなく、厚さを実際より誇張して図示している。
この太陽光発電装置１は、図３に示すように、太陽光発電ユニット２を、例えば建物の屋上等の設置面５上に、鉛直上方から見て例えば縦横方向にそれぞれ複数個、並列配置して構成されている。各太陽光発電ユニット２の構成は全て同じである。
【００２３】
すなわち、図１、図２に示すように、各太陽光発電ユニット２は、例えば透過型の例えば両面受光型太陽電池パネルである２つの太陽電池パネル３，４と、フレーム７とからなる。フレーム７は、太陽電池パネル３，４を固定支持し、太陽電池パネル３，４を設置面５上に設置するための構造物である。太陽電池パネル３は第１の太陽電池パネルとなるものであり、フレーム７によって、予め定められた０°より大きく９０°より小さい鋭角を設置角度（太陽電池パネル３のパネル面が水平面となす角度）として設置面５上に傾斜設置されている。太陽電池パネル４は第２の太陽電池パネルとなるものであり、フレーム７によって、予め定められた０°より大きく９０°より小さい鋭角を設置角度（太陽電池パネル４のパネル面が水平面となす角度）として設置面５上に傾斜設置されている。これら太陽電池パネル３，４の望ましい設置角度は、太陽光発電装置１の設置場所の緯度等にもよるが、例えば３０°程度である。
【００２４】
各太陽光発電ユニット２において、太陽電池パネル３と太陽電池パネル４とは隣接し合うように配置されている。各太陽光発電ユニット２において、太陽電池パネル３と太陽電池パネル４とは、互いの上端１２側同士が対向している。そして、各太陽光発電ユニット２において、２つの太陽電池パネル３，４は、図１、図４に示すように、各上端１２を頂上としてそれぞれ下り傾斜する斜面構造をなしている。これにより、各太陽光発電ユニット２は、太陽電池パネル３と太陽電池パネル４とが三角屋根状をなしている。各太陽電池パネル３，４の左右両側におけるフレーム７の下端部には、それぞれ各太陽光発電ユニット２を設置面５上に固定設置するための脚部１３，１４が設けられている。
【００２５】
フレーム７において、太陽電池パネル３，４の下端１１に沿って設けられている、太陽電池パネル３，４の支持部となる枠体１５には、例えば当該枠体１５を上下に貫く孔である流下部１６が設けられている。この流下部１６は、枠体１５の長さ方向に予め定められた間隔で例えば複数個設けられている。枠体１５は、太陽電池パネル３，４の厚さ方向に、当該太陽電池パネル３，４より高くなっている。そのため、太陽電池パネル３，４の下端１１と枠体１５との間の部分には、雨水や砂埃等の滞留物が溜まりやすい。そこで、流下部１６は、これらの滞留物を太陽光発電ユニット２の下に流して滞留しないようにする役割を果たす。なお、枠体１５の表面上には、滞留物を流下部１６の入口に導きやすくするための傾斜面や溝等を形成してもよい。あるいは、流下部１６は孔とせずに、枠体１５上に形成された滞留物を下に流す傾斜面や溝等としてもよい。
【００２６】
以上のような構成の太陽光発電ユニット２を、例えば水平方向の縦横に複数個配置してなる太陽光発電装置１は、図３に示すように、例えば太陽電池パネル３を東向き、太陽電池パネル４を西向きに設置している。図３の例では、太陽電池パネル３を真東向き、太陽電池パネル４を真西向きに図示しているが、本発明はこれに限定されるものではない。すなわち、ここで、太陽電池パネル３を「東向き」に設置するとは、おおむね太陽電池パネル３を南東〜北東の範囲の何れかの方角に向けて設置することである。また、太陽電池パネル４を「西向き」に設置するとは、おおむね太陽電池パネル４を南西〜北西の範囲の何れかの方角に向けて設置することである。
【００２７】
さらに、図３に示すように、太陽光発電装置１は、各太陽光発電ユニット２が、図３の例で東西方向、南北方向にそれぞれ複数台、互いにあまり間隔があかないように並列配置されている。これにより、太陽光発電装置１は、図３の例で東西方向に、太陽電池パネル３と太陽電池パネル４とが交互に出現するように配置される。そのため、隣接する太陽光発電ユニット２同士では、太陽電池パネル３と太陽電池パネル４とが互いに対向している。すなわち、互いの下端１１側同士が隣り合っている太陽電池パネル３と太陽電池パネル４とは対向している。さらに、図３の例で南北方向に、太陽電池パネル３が連続して出現するように、また、太陽電池パネル４も連続して出現するように、各太陽光発電ユニット２は配置されている。
【００２８】
また、図４に示すように、各太陽光発電ユニット２において、太陽電池パネル３と太陽電池パネル４とに囲まれた内側の空間（太陽電池パネル３，４の外側の面を表面２３、その反対側の面を裏面２４とすれば、裏面２４に囲まれた空間）２１内には、光を反射する反射部材２２が設けられている。図４の例においては、空間２１内の設置面５上に板面方向を水平方向として鏡板である反射部材２２が鏡面を上側にして配置されている。なお、反射部材２２の形状や、空間２１内における具体的な配置形態等は、適宜選択することができる。
【００２９】
次に、以上の構成の太陽光発電装置１の作用、効果について説明する。図４に示すように、単一の太陽光発電ユニット２を構成する太陽電池パネル３と太陽電池パネル４とは、図１、図４において各上端１２を頂上として左右に斜め下側に向かって下り傾斜する斜面構造となる。そのため、太陽電池パネル３の上端１２側と太陽電池パネル４の上端１２側との間隔をあけなくとも、前述の比較例１の太陽電池パネル１０１とは異なり、太陽電池パネル３は太陽電池パネル４の表面２３上に影を投影しない。また、太陽電池パネル４は太陽電池パネル３の表面２３上に影を投影しない。そのため、太陽光発電装置１は、太陽電池パネル３（４）に、他の太陽電池パネル４（３）から影が差して、発電の不具合となることを防止することができる。
【００３０】
このように、本実施形態の太陽光発電装置１は、太陽電池パネル３（４）から太陽電池パネル４（３）に影が落ちる不具合を防止できる。よって、比較例２とは異なり、各太陽光発電ユニット２において太陽電池パネル３と太陽電池パネル４とを充分離して設置する必要は特にない。そのため、限られた面積の設置面５の範囲内に充分な枚数の太陽電池パネル３，４を設置し、単位設置面積あたりの発電量を向上させることができる。
【００３１】
また、太陽電池パネル３，４は予め定められた鋭角を設置角度としているので、図４に示すように、太陽光発電装置１は、太陽電池パネル３，４の一枚当たりの設置面積Ｓ１を、比較例４の設置面積Ｓ３に比べて広くすることができる。よって、この点でも、限られた面積の設置面５の範囲内に充分な枚数の太陽電池パネル３，４を設置し、単位設置面積あたりの発電量を向上させることができる。
【００３２】
さらに、図４に示すように、太陽光発電装置１は、太陽電池パネル３と太陽電池パネル４とが水平方向に交互に出現するように配列されている。これによって、隣り合う太陽光発電ユニット２同士では、図４に示すように、太陽電池パネル３，４の縦断面形状は、各下端１１を谷として太陽電池パネル３と太陽電池パネル４とが左右に斜め上側に向かって登り傾斜するような斜面構造となる。そのため、比較例１〜４の例とは異なり、隣り合う太陽光発電ユニット２同士では、太陽電池パネル３と太陽電池パネル４とが斜に対向している。よって、太陽電池パネル３（４）で正反射した太陽光６ａ、乱反射した太陽光６ｂを隣の太陽電池パネル４（３）で受光して発電に活用することができる。
そのうえ、太陽電池パネル３と太陽電池パネル４とで囲まれる内側の空間２１に反射部材２２を設けたので、太陽電池パネル３，４を透過した太陽光６は反射部材２２で反射され、当該反射光６ｃを太陽電池パネル３，４で受光して発電に活用することができる。
【００３３】
また、図４に示すように、太陽光発電装置１においては、太陽電池パネル３，４の設置面５に対する設置高さｈ１は、比較例４の設置高さｈ３に比べて低い。よって、各太陽電池パネル３，４は強風にあおられにくいので、各太陽電池パネル３，４の設置構造は、比較例３の場合ほど強固な構造にする必要性は低い。そのため、太陽光発電装置１は、比較例３に比べて、フレーム７を含む太陽光発電ユニット２の設置構造物の建造コストを低減することができる。また、太陽光発電装置１は、設置高さｈ１が低いために、比較例３に比べて美観を損ねる恐れがない。さらには、太陽光発電装置１は、設置高さｈ１が低いために、当該太陽光発電装置１が設置されている建物に隣接する建物等に大きな長い影が落ちてしまう不具合も発生しにくい。
【００３４】
以上のとおり、本実施例によれば、比較例１〜４の不具合を解決し、限られた設置面積の中で多数の太陽電池パネル３，４を配置することで、単位設置面積あたりの発電量を向上させるのに好適な太陽光発電装置１を提供することができる。
また、太陽電池パネル３は例えば東向き、太陽電池パネル４は例えば西向きに設置されているので、本実施例の太陽光発電装置１によれば、１日の日中を通して比較的安定した発電量を得ることができる。
さらに、枠体１５には流下部１６が設けられているので、太陽電池パネル３，４の下端１１と枠体１５との間に雨水、砂埃などの滞留物が溜まることを抑制し、当該滞留物が太
陽電池パネル３，４の発電の不具合になることを防止することができる。
【００３５】
［実施例２］
本実施例では、予め定められた設置面積の中で更に多数の太陽電池パネルを配置することで、単位設置面積あたりの発電量を更に向上させることができる太陽光発電装置の例を説明する。
図５は、実施例２にかかる太陽光発電装置１の太陽光発電ユニット２の斜視図である。図５において、前述の実施例１の場合と同様の部材等には実施例１と同一の符号を付し、詳細な説明は省略する。
【００３６】
本実施例が実施例１と相違する点は、太陽光発電ユニット２が太陽電池パネル３，４の他に太陽電池パネル３１を備えていることである。前述のとおり、太陽電池パネル３は例えば東向きに設置され、太陽電池パネル４は例えば西向きに設置されているのに対して、太陽電池パネル３１は例えば南向きに、例えば予め定めた鋭角の設置角度となるように設置されている。ここで、「南向き」とは、真南向きに限定されるものではなく、おおむね東南向き〜西南向きの範囲内の何れかの向きであればよい。
本実施例においても、図示は省略するが、太陽光発電ユニット２を例えば水平方向の縦横方向に複数台並列して設置している。また、図示は省略するが、反射部材２２や流下部１６を設けてもよい。その他、フレーム７の具体的な形状が異なる点等を除いて、本実施例の太陽光発電装置１の構成は実施例１と同様であるため、詳細な説明は省略する。
【００３７】
本実施例によれば、各太陽光発電ユニット２において、太陽電池パネル３，４の他に太陽電池パネル３１を追加し、当該太陽電池パネル３１を例えば南向きに設置している。よって、予め定められた設置面積の中で実施例１に比較して更に多数の太陽電池パネルを配置することで、単位設置面積あたりの発電量を更に向上させることができる太陽光発電装置１を提供することができる。
【００３８】
［実施例３］
本実施例では、建物の天窓等に設置するのに好適な太陽光発電装置の例を説明する。
図６は、実施例３にかかる太陽光発電装置１の設置例を示す斜視図である。図７は、同設置例を示す斜視図である。図８は、同設置例を示す底面図である。図６〜図８において、前述の実施例１の場合と同様の部材等には実施例１と同一の符号を付し、詳細な説明は省略する。
【００３９】
本実施例では、太陽光発電装置１を、例えば、建物２０１のアプローチ２０２の屋上２０３上に設置している。この屋上２０３上には屋上面２０４（水平面）より一段高い段差部２０５が形成され、この段差部２０５には三角屋根状の天窓２０６が形成されている。この天窓２０６は、段差部２０５に形成されたフレーム２０７を備え、当該フレーム２０７にはガラスパネル２０８がはめられている。図７は、この屋上２０３上の天窓２０６を斜め上から見た図であり、図８は、アプローチ２０２内から屋上２０３上の天窓２０６を見上げた図である。図８において、符号２０９はアプローチ２０２の梁である。
【００４０】
本実施例の太陽光発電装置１が実施例１のものと相違する点は、まず、各太陽光発電ユニット２において、太陽電池パネル３と太陽電池パネル４との間に大きな間隔をとり、フレーム７は、当該太陽電池パネル３と太陽電池パネル４との間に開口部４１を備えている点である。また、隣接し合う太陽光発電ユニット２同士では、隣同士の太陽電池パネル３と太陽電池パネル３との間に大きな間隔（符号４２で示す）をあけている。また、隣同士の太陽電池パネル４と太陽電池パネル４との間にも大きな間隔（符号４３で示す）をあけている。そして、三角屋根形状の各太陽光発電ユニット２は、同じく三角屋根形状の天窓２０６上に当該天窓２０６に沿うように設置されている。また、本実施例では、図示はしていないが反射部材２２を設けてもよい。また、本実施例では、図示はしていないが流下部１６は設けてもよい。その他、本実施例の構成は実施例１と同様であるため、詳細な説明は省略する。
【００４１】
本実施例の太陽光発電装置１によれば、天窓２０６の上に太陽光発電装置１を設けていても、開口部４１、間隔４２，４３の空間を介して、天窓２０６は太陽光を採り入れることができる。よって、太陽光発電装置１が天窓２０６の採光の妨げになることを防止することができる。
また、太陽光発電装置１は、天窓２０６の形状に沿って設けられているので、比較的目立ちにくく、アプローチ２０２の美観を損ねることがない。
【００４２】
［実施例４］
本実施例では、１日の日中を通して比較的安定した発電量を得ることができる太陽光発電装置の例を説明する。
図９は、実施例４にかかる太陽光発電装置１の斜視図である。図９において、前述の実施例１の場合と同様の部材等には実施例１と同一の符号を付し、詳細な説明は省略する。本実施例の太陽光発電装置１は、実施例１とは異なり、太陽電池パネル３，４のパネル面の面方向が水平面に対して垂直になるように設置している。そして、太陽電池パネル３は例えば南東向きに設置され、太陽電池パネル４は例えば南西向きに設置されている。ここで「南東向き」、「南西向き」とは、正確に南東向き、南西向きであることに限定されるものではない。すなわち、「南東向き」とは、おおむね東向き〜南向きの範囲内の何れかの向きであればよい。また、「南西向き」とは、おおむね西向き〜南向きの範囲内の何れかの向きであればよい。そして、太陽電池パネル３，４は、太陽電池パネル３のパネル面方向と、太陽電池パネル４のパネル面方向とが交差するように、そして、互いのフレーム７の左右方向の縁部分同士でほぼ接するように配置されている。その他の構成については、本実施例の太陽光発電装置１は実施例１と同様であり、詳細な説明は省略する。
本実施例の太陽光発電装置１によれば、太陽電池パネル３は例えば南東向きに設置され、太陽電池パネル４は例えば南西向きに設置されているので、１日の日中を通して比較的安定した発電量を得ることができる。
【００４３】
なお、本発明は上記した各実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることも可能である。
一例をあげれば、前記の各実施例では、太陽電池パネル３，４は例えば透過型の両面受光型太陽電池パネルであるが、不透過型の両面受光型太陽電池パネルとしてもよいし、片面受光型太陽電池パネルとしてもよい。
【００４４】
また、実施例１の構成について、図４等では例えば３台の太陽電池ユニット２が並列するように図示されているが、例えば、同図で最右端の太陽電池パネル４を設けない構成としてもよい。あるいは、同図で最左端の太陽電池パネル３を設けない構成としてもよい。すなわち、各太陽電池ユニット２において必ずしも全て太陽電池パネル３と太陽電池パネル４とが揃っている構成とする必要はない。
【符号の説明】
【００４５】
１    太陽光発電装置
２    太陽光発電ユニット
３    太陽電池パネル（第１の太陽電池パネル）
４    太陽電池パネル（第２の太陽電池パネル）
５    設置面
１６  流下部
２２  反射部材
【図１】
2014154743.tif 000003
【図２】
2014154743.tif 000004
【図３】
2014154743.tif 000005
【図４】
2014154743.tif 000006
【図５】
2014154743.tif 000007
【図６】
2014154743.tif 000008
【図７】
2014154743.tif 000009
【図８】
2014154743.tif 000010
【図９】
2014154743.tif 000011
【図１０】
2014154743.tif 000012
【図１１】
2014154743.tif 000013
【図１２】
2014154743.tif 000014
【図１３】
2014154743.tif 000015